(57)【要約】【課題】  映像信号の供給点の電圧を画素に書き込むことで表示品質向上を図る。【解決手段】  映像信号供給線ＶＩＮＲを分岐させ、分岐後の映像信号供給線ＶＩＮＲａと映像信号供給線ＶＩＮＲｂにアナログスイッチＳＷＲｎ−３，ＳＷＲｎ−２，…を分散して接続することで、分岐後の１つの映像信号供給線ＶＩＮＲａでの電圧降下が他の映像信号供給線ＶＩＮＲｂ等に影響するのを防止できる。また、異なる映像信号供給線に接続したアナログスイッチを連続して導通させることで、例えば、映像信号供給線ＶＩＮＲａに接続されたアナログスイッチＳＷＲｎ−３の導通タイミングと直後に導通するアナログスイッチＳＷＲｎ−１の導通タイミングとの間の時間間隔を２倍に長くして、映像信号供給線ＶＩＮＲａでの電圧降下がなくなった後にアナログスイッチＳＷＲｎ−１を導通させることができるので、映像信号の供給点ＶＩＮＲ０の電圧を画素に書き込むことができる。【選択図】図２
2006106584.tif 000002
【特許請求の範囲】
【請求項１】
複数の信号線と複数の走査線とが交差し、各信号線へ映像信号を供給するための映像信号供給線が形成され、前記信号線と走査線とが交差する各交差部に画素が構成されるアレイ基板と、前記映像信号供給線と前記各信号線の間に接続されたアナログスイッチを順次に導通させる信号線駆動回路とを備え、
前記映像信号供給線が分岐し、分岐後の映像信号供給線にアナログスイッチが分散して接続され、前記信号線駆動回路は、異なる映像信号供給線に接続されたアナログスイッチを連続して導通させることを特徴とする液晶表示装置。
【請求項２】
ＲＧＢの各色に対応する映像信号供給線が分岐し、分岐後の映像信号供給線にアナログスイッチが分散して接続され、前記信号線駆動回路が、各色について、異なる映像信号供給線に接続されたアナログスイッチを連続して導通させることを特徴とする請求項１記載の液晶表示装置。
【請求項３】
映像信号供給線が２つに分岐し、分岐後の映像信号供給線にアナログスイッチが分散して接続され、前記信号線駆動回路は、一方の映像信号供給線に接続されたアナログスイッチを導通させた後に他方の映像信号供給線に接続されたアナログスイッチを導通させることを特徴とする請求項１または２記載の液晶表示装置。
【発明の詳細な説明】
【技術分野】
【０００１】
本発明は、映像信号の供給点の電圧を画素に書き込むことで表示品質の向上を図った液晶表示装置に関するものである。
【背景技術】
【０００２】
近年における液晶表示装置は、テレビジョン受像機、コンピュータの表示装置、携帯電話端末などの様々な機器に使用され、今では必要不可欠なものとなっている。
【０００３】
液晶表示装置では、例えば、複数の信号線と複数の走査線とが交差し、各信号線へ映像信号を供給するための映像信号供給線が形成され、走査線と信号線とが交差する各交差部に画素が配置されており、さらに、映像信号供給線と各信号線の間にアナログスイッチを接続し、アナログスイッチを順次に導通させて、画素に映像信号を書き込むようになっている。
【特許文献１】特開平１１−１０９９２４号公報
【発明の開示】
【発明が解決しようとする課題】
【０００４】
上記のような構成の液晶表示装置では、映像信号供給線における映像信号の供給点の電圧を画素に書き込むことが望まれるが、映像信号供給線での電圧降下により当該供給点の電圧を画素に書き込めないことがある。
【０００５】
図４は、上記した従来の液晶表示装置においてアナログスイッチを制御して信号線を駆動する信号線駆動回路の一部を示す回路図であり、図５は、図４の信号線駆動回路が、水平方向に配置された各画素の電圧極性が同一となるＨライン反転方式で、しかも、画素を予備書き込みする方式によってラスタ表示を行うときの、赤（Ｒ）の画素についてのタイミングチャートである。
【０００６】
図５に示すように、シフトレジスタＳ／Ｒｎ−３の出力信号ＳＲＯｎ−３は、時刻ｔ１と該時刻から１信号線分の書き込み時間Δｔの２倍の時間が経過した時刻ｔ３との間でアナログスイッチＳＷＲｎ−３を導通させることにより映像信号供給線ＶＩＮＲと信号線ＸＲｎ−３とを接続する。
【０００７】
シフトレジスタＳ／Ｒｎ−２の出力信号ＳＲＯｎ−２は、時刻ｔ１から時間Δｔが経過した時刻ｔ２と該時刻から時間Δｔの２倍の時間が経過した時刻ｔ４との間でアナログスイッチＳＷＲｎ−２を導通させることにより映像信号供給線ＶＩＮＲと信号線ＸＲｎ−２とを接続する。
【０００８】
つまり、信号線ＸＲｎ−２に構成された画素は、時刻ｔ２から時刻ｔ３までの間において、信号線ＸＲｎ−３に構成された画素に対する映像信号の電圧で予備書き込みされ、その後の時刻ｔ３から時刻ｔ４までの間において、信号線ＸＲｎ−２に構成された画素に対する映像信号の電圧で書き込まれる。
【０００９】
その後、信号線ＸＲｎ−１に構成された画素は、時刻ｔ３から時刻ｔ４までの間において、信号線ＸＲｎ−２に構成された画素に対する映像信号の電圧で予備書き込みされ、その後の時刻ｔ４から時刻ｔ５までの間において、信号線ＸＲｎ−１に構成された画素に対する映像信号の電圧で書き込まれる。なお、ラスタ表示なので、信号線ＸＲｎ−３に構成された画素に対する映像信号の電圧と信号線ＸＲｎ−２に構成された画素に対する映像信号の電圧とは等しくなっている。
【００１０】
その後、信号線ＸＲｎに構成された画素は、時刻ｔ４から時刻ｔ５までの間において、信号線ＸＲｎ−１に構成された画素に対する映像信号の電圧で予備書き込みされ、その後の時刻ｔ５から時刻ｔ６までの間において、信号線ＸＲｎに構成された画素に対する映像信号の電圧で書き込まれる。
【００１１】
例えば、映像信号供給線ＶＩＮＲと接続する前に、信号線ＸＲｎ−３，ＸＲｎ−２，…の電圧が１．６Ｖで、映像信号供給線ＶＩＮＲにおける映像信号の供給点ＶＩＮＲ０の電圧が３．６Ｖだった場合、映像信号供給線ＶＩＮＲと信号線ＸＲｎ−３とが接続して、信号線ＸＲｎ−３に構成された画素への充電が開始すると、映像信号供給線ＶＩＮＲでは当初大きな充電電流により大きな電圧降下が生じるが、充電電流は次第に小さくなるので、信号線ＸＲｎ−３の電圧は次第に上昇していく。
【００１２】
しかし、画像を高精細に表示すべく信号線を多くした場合は、１信号線分の書き込み時間Δｔを短くしなければならず、これにより、充電が終わらない内に、映像信号供給線ＶＩＮＲと信号線ＸＲｎ−２とが接続すると、信号線ＸＲｎ−３の電圧はそれ以上に上昇できなくなる。結果的に、信号線ＸＲｎ−３の電圧（信号線ＸＲｎ−３に構成された画素の電圧）は、映像信号供給線ＶＩＮＲと信号線ＸＲｎ−３とが切り離されたときの電圧、つまり３．６Ｖよりも低い電圧となってしまう。また、他の信号線および該信号線に構成された画素の電圧も同様に、映像信号の供給点ＶＩＮＲ０の電圧より低くなってしまう。
【００１３】
画素の電圧が低くなってしまうことは、図５に示すように、映像信号供給線ＶＩＮＲの終端点ＶＩＮＲＸの電圧が供給点ＶＩＮＲ０の電圧より低くなってしまうことによっても明らかである。
【００１４】
また、映像信号の供給点ＶＩＮＲ０の電圧と信号線の電圧（画素の電圧）との電圧差ΔＶは、信号線ごとに異なることがあり、そのため、従来の液晶表示装置では画面内で表示ムラを生じる可能性があった。
【００１５】
本発明は、上記の課題に鑑みてなされたものであり、その目的とするところは、映像信号の供給点の電圧を画素に書き込むことで表示品質の向上を図った液晶表示装置を提供することにある。
【課題を解決するための手段】
【００１６】
上記の課題を解決するために、請求項１の液晶表示装置は、複数の信号線と複数の走査線とが交差し、各信号線へ映像信号を供給するための映像信号供給線が形成され、前記信号線と走査線とが交差する各交差部に画素が構成されるアレイ基板と、前記映像信号供給線と前記各信号線の間に接続されたアナログスイッチを順次に導通させる信号線駆動回路とを備え、前記映像信号供給線が分岐し、分岐後の映像信号供給線にアナログスイッチが分散して接続され、前記信号線駆動回路は、異なる映像信号供給線に接続されたアナログスイッチを連続して導通させることを特徴とする。
【００１７】
請求項１の本発明によれば、映像信号供給線を分岐させ、分岐後の映像信号供給線にアナログスイッチを分散して接続したことで、分岐後の１つの映像信号供給線での電圧降下が他の映像信号供給線に影響するのを防止でき、さらに、異なる映像信号供給線に接続したアナログスイッチを連続して導通させることで、同一の映像信号供給線に接続された任意のアナログスイッチの導通タイミングと直後に導通するアナログスイッチの導通タイミングとの間の時間間隔を長くして、当該映像信号供給線での電圧降下がなくなった後に後者のアナログスイッチを導通させることができるので、映像信号の供給点の電圧を画素に書き込むことができ、その結果、表示品質を向上させることができる。
【００１８】
また、請求項２の液晶表示装置は、請求項１記載の液晶表示装置において、ＲＧＢの各色に対応する映像信号供給線が分岐し、分岐後の映像信号供給線にアナログスイッチが分散して接続され、前記信号線駆動回路が、各色について、異なる映像信号供給線に接続されたアナログスイッチを連続して導通させることを特徴とする。
【００１９】
請求項２の液晶表示装置によれば、ＲＧＢの各色に対応する映像信号供給線を分岐させ、分岐後の映像信号供給線にアナログスイッチを分散して接続し、各色について、異なる映像信号供給線に接続したアナログスイッチを連続して導通させることで、映像信号の供給点の電圧を各色に対応する画素に書き込むことができ、その結果、カラー表示の表示品質を向上させることができる。
【００２０】
また、請求項３の液晶表示装置は、請求項１または２記載の液晶表示装置において、映像信号供給線が２つに分岐し、分岐後の映像信号供給線にアナログスイッチが分散して接続され、前記信号線駆動回路は、一方の映像信号供給線に接続されたアナログスイッチを導通させた後に他方の映像信号供給線に接続されたアナログスイッチを導通させることを特徴とする。
【００２１】
請求項３の液晶表示装置によれば、映像信号供給線を２つに分岐させ、分岐後の映像信号供給線にアナログスイッチを分散して接続し、一方の映像信号供給線に接続したアナログスイッチを導通させた後に他方の映像信号供給線に接続したアナログスイッチを導通させることで、映像信号の供給点の電圧を画素に書き込むことができ且つ映像信号供給線の分岐数を最小限にすることができる。
【発明の効果】
【００２２】
本発明の液晶表示装置によれば、映像信号供給線を分岐させ、分岐後の映像信号供給線にアナログスイッチを分散して接続したことで、分岐後の１つの映像信号供給線での電圧降下が他の映像信号供給線に影響するのを防止でき、さらに、異なる映像信号供給線に接続したアナログスイッチを連続して導通させることで、同一の映像信号供給線に接続された任意のアナログスイッチの導通タイミングと直後に導通するアナログスイッチの導通タイミングとの間の時間間隔を長くして、当該映像信号供給線での電圧降下がなくなった後に後者のアナログスイッチを導通させることができるので、映像信号の供給点の電圧を画素に書き込むことができ、その結果、表示品質を向上させることができる。
【発明を実施するための最良の形態】
【００２３】
以下、本発明の実施の形態を図面を参照して説明する。
【００２４】
図１は、本発明の実施の形態に係る液晶表示装置１の構成図である。液晶表示装置１は、複数の信号線Ｘと複数の走査線Ｙとが交差するガラス製等のアレイ基板１１と、アレイ基板１１に対し液晶層（図１では液晶素子ＣＬとして示す）を挟んで対向するガラス製等の対向基板１２とを備えている。
【００２５】
アレイ基板１１では、信号線Ｘ走査線Ｙとが交差する各交差部に、当該走査線Ｙが駆動されて導通する画素トランジスタＱと、該導通した画素トランジスタＱを介して各信号線Ｘから映像信号が書き込まれる画素電極Ｐとが配置されている。
【００２６】
画素トランジスタＱは、ｐ−Ｓｉ（ポリシリコン）形の薄膜トランジスタ（TFT:Thin Film Transistor）等であって、例えば、そのゲート、ソースおよびドレインが、それぞれ走査線Ｙ、信号線Ｘおよび画素電極Ｐに接続される。
【００２７】
また、図示しないが、対向基板１２は、画素電極Ｐの全てに対向する１つの対向電極を備え、この対向電極には、例えば電圧一定の直流電圧が印加される。また、対向基板１２では、各画素電極Ｐに対向するように、赤（Ｒ）、緑（Ｇ）、青（Ｂ）のいずれかの色のカラーフィルタが規則的に配置され、これにより、赤の画素、緑の画素、青の画素が構成されてカラー表示が可能となっている。また、かかるカラー表示のために、アレイ基板１１には、各色につきｎ本の信号線が形成されていることとする。
【００２８】
また、液晶表示装置１は、各走査線Ｙを順次に駆動して、その走査線Ｙに接続された画素トランジスタＱを導通させる走査線駆動回路１３と、１つの走査線Ｙが駆動されている１水平走査期間において、各信号線Ｘを順次に駆動する信号線駆動回路１４とを備える。これらの駆動回路は、画素トランジスタＱの製造プロセスと同一のプロセスによりアレイ基板１１上に形成することで、製造工程を削減でき、また、当該回路を集積した集積回路や端子などの部品や配線数を削減して低コスト化を図ることができる。
【００２９】
液晶表示装置１では、赤（Ｒ）の画素に書き込まれる映像信号が供給される映像信号供給線ＶＩＮＲ、緑（Ｇ）の画素に書き込まれる映像信号が供給される映像信号供給線ＶＩＮＧ、青（Ｂ）の画素に書き込まれる映像信号が供給される映像信号供給線ＶＩＮＢが、それぞれ信号線駆動回路１４に対して配線されている。
【００３０】
図２は、信号線駆動回路１４の一部を示す回路図である。詳しくは、１水平走査期間内で最後に駆動される各色４本の信号線を駆動する部分を主に示したものである。
【００３１】
信号線駆動回路１４は、アナログスイッチＳＷＲｎ−３、アナログスイッチＳＷＧｎ−３、並びに、アナログスイッチＳＷＢｎ−３を備え、赤（Ｒ）の画素に対応する信号線の中のｎ−３番目に駆動される信号線ＸＲｎ−３、緑（Ｇ）の画素に対応する信号線の中のｎ−３番目に駆動される信号線ＸＧｎ−３、並びに、青（Ｂ）の画素に対応する信号線の中のｎ−３番目に駆動される信号線ＸＢｎ−３の図中における上端部に、アナログスイッチＳＷＲｎ−３、アナログスイッチＳＷＧｎ−３、並びに、アナログスイッチＳＷＢｎ−３の一方の端子がそれぞれ接続されている。
【００３２】
同様に、信号線駆動回路１４は、アナログスイッチＳＷＢｎ−２、アナログスイッチＳＷＧｎ−２、並びに、アナログスイッチＳＷＢｎ−２を備え、赤（Ｒ）の画素に対応する信号線の中のｎ−２番目に駆動される信号線ＸＲｎ−２、緑（Ｇ）の画素に対応する信号線の中のｎ−２番目に駆動される信号線ＸＧｎ−２、並びに、青（Ｂ）の画素に対応する信号線の中のｎ−２番目に駆動される信号線ＸＢｎ−２の図中における上端部に、アナログスイッチＳＷＲｎ−２、アナログスイッチＳＷＧｎ−２、並びに、アナログスイッチＳＷＢｎ−２の一方の端子がそれぞれ接続されている。
【００３３】
同様に、信号線駆動回路１４は、アナログスイッチＳＷＢｎ−１、アナログスイッチＳＷＧｎ−１、並びに、アナログスイッチＳＷＢｎ−１を備え、赤（Ｒ）の画素に対応する信号線の中のｎ−１番目に駆動される信号線ＸＲｎ−１、緑（Ｇ）の画素に対応する信号線の中のｎ−１番目に駆動される信号線ＸＧｎ−１、並びに、青（Ｂ）の画素に対応する信号線の中のｎ−１番目に駆動される信号線ＸＢｎ−１の図中における上端部に、アナログスイッチＳＷＲｎ−１、アナログスイッチＳＷＧｎ−１、並びに、アナログスイッチＳＷＢｎ−１の一方の端子がそれぞれ接続されている。
【００３４】
同様に、信号線駆動回路１４は、アナログスイッチＳＷＢｎ、アナログスイッチＳＷＧｎ、並びに、アナログスイッチＳＷＢｎを備え、赤（Ｒ）の画素に対応する信号線の中のｎ番目に駆動される信号線ＸＲｎ、緑（Ｇ）の画素に対応する信号線の中のｎ番目に駆動される信号線ＸＧｎ、並びに、青（Ｂ）の画素に対応する信号線の中のｎ番目に駆動される信号線ＸＢｎの図中における上端部に、アナログスイッチＳＷＲｎ、アナログスイッチＳＷＧｎ、並びに、アナログスイッチＳＷＢｎの一方の端子がそれぞれ接続されている。
【００３５】
また、信号線駆動回路１４へ配線された映像信号供給線ＶＩＮＲは、図中左の部分が、赤（Ｒ）の映像信号の供給点ＶＩＮＲ０となっており、この供給点ＶＩＮＲ０から映像信号供給線ＶＩＮＲａおよび映像信号供給線ＶＩＮＲｂの２つに分岐し、それぞれが走査線Ｙと平行に信号線ＸＢｎの図中右上方へと配線されて終端点ＶＩＮＲａＸと終端点ＶＩＮＲｂＸで終端されている。なお、本実施の形態において映像信号の供給点は、映像信号供給線での電圧降下による電圧変動がない点または当該電圧変動が動作に支障のないほど小さい点とすればよい。
【００３６】
同様に、信号線駆動回路１４へ配線された映像信号供給線ＶＩＮＧは、図中左の部分が、緑（Ｇ）の映像信号の供給点ＶＩＮＧ０となっており、この供給点ＶＩＮＧ０から映像信号供給線ＶＩＮＧａおよび映像信号供給線ＶＩＮＧｂの２つに分岐し、それぞれが走査線Ｙと平行に信号線ＸＢｎの図中右上方へと配線されて終端点ＶＩＮＧａＸと終端点ＶＩＮＧｂＸで終端されている。
【００３７】
同様に、信号線駆動回路１４へ配線された映像信号供給線ＶＩＮＢは、図中左の部分が、青（Ｂ）の映像信号の供給点ＶＩＮＢ０となっており、この供給点ＶＩＮＢ０から映像信号供給線ＶＩＮＢａおよび映像信号供給線ＶＩＮＢｂの２つに分岐し、それぞれが走査線Ｙと平行に信号線ＸＢｎの図中右上方へと配線されて終端点ＶＩＮＢａＸと終端点ＶＩＮＢｂＸで終端されている。
【００３８】
また、信号線駆動回路１４では、アナログスイッチＳＷＲｎ−３およびアナログスイッチＳＷＲｎ−１の他方の端子は、映像信号供給線ＶＩＮＲａに接続されている。一方、アナログスイッチＳＷＲｎ−２およびアナログスイッチＳＷＲｎの他方の端子は、映像信号供給線ＶＩＮＲｂに接続されている。
【００３９】
同様に、信号線駆動回路１４では、アナログスイッチＳＷＧｎ−３およびアナログスイッチＳＷＧｎ−１の他方の端子は、映像信号供給線ＶＩＮＧａに接続されている。一方、アナログスイッチＳＷＧｎ−２およびアナログスイッチＳＷＧｎの他方の端子は、映像信号供給線ＶＩＮＧｂに接続されている。
【００４０】
同様に、信号線駆動回路１４では、アナログスイッチＳＷＢｎ−３およびアナログスイッチＳＷＢｎ−１の他方の端子は、映像信号供給線ＶＩＮＢａに接続されている。一方、アナログスイッチＳＷＢｎ−２およびアナログスイッチＳＷＢｎの他方の端子は、映像信号供給線ＶＩＮＢｂに接続されている。
【００４１】
また、信号線駆動回路１４は、シフトレジスタＳ／Ｒｎ−３を備え、その出力信号ＳＲＯｎ−３で、アナログスイッチＳＷＲｎ−３、アナログスイッチＳＷＧｎ−３およびアナログスイッチＳＷＢｎ−３を導通させるようになっている。
【００４２】
同様に、信号線駆動回路１４は、シフトレジスタＳ／Ｒｎ−２を備え、その出力信号ＳＲＯｎ−２で、アナログスイッチＳＷＲｎ−２、アナログスイッチＳＷＧｎ−２およびアナログスイッチＳＷＢｎ−２を導通させるようになっている。
【００４３】
同様に、信号線駆動回路１４は、シフトレジスタＳ／Ｒｎ−１を備え、その出力信号ＳＲＯｎ−１で、アナログスイッチＳＷＲｎ−１、アナログスイッチＳＷＧｎ−１およびアナログスイッチＳＷＢｎ−１を導通させるようになっている。
【００４４】
同様に、信号線駆動回路１４は、シフトレジスタＳ／Ｒｎを備え、その出力信号ＳＲＯｎで、アナログスイッチＳＷＲｎ、アナログスイッチＳＷＧｎおよびアナログスイッチＳＷＢｎを導通させるようになっている。
【００４５】
なお、図２に示さない他の部分は、図２に示す部分と同様に構成されており、ここではその説明を省略する。
【００４６】
図３は、信号線駆動回路１４が、水平方向の各画素の電圧極性が同一となるＨライン反転方式で、しかも、画素を予備書き込みする方式によってラスタ表示を行うときの、赤（Ｒ）の画素についてのタイミングチャートである。
【００４７】
図３に示すように、シフトレジスタＳ／Ｒｎ−３の出力信号ＳＲＯｎ−３は、時刻ｔ１と該時刻から１信号線分の書き込み時間Δｔの２倍の時間が経過した時刻ｔ３との間でアナログスイッチＳＷＲｎ−３の両端子を導通させることにより映像信号供給線ＶＩＮＲａと信号線ＸＲｎ−３とを接続する。
【００４８】
シフトレジスタＳ／Ｒｎ−２の出力信号ＳＲＯｎ−２は、時刻ｔ１から時間Δｔが経過した時刻ｔ２と該時刻から時間Δｔの２倍の時間が経過した時刻ｔ４との間でアナログスイッチＳＷＲｎ−２の両端子を導通させることにより映像信号供給線ＶＩＮＲｂと信号線ＸＲｎ−２とを接続する。
【００４９】
つまり、信号線ＸＲｎ−２に構成された画素は、時刻ｔ２から時刻ｔ３までの間において、信号線ＸＲｎ−３に構成された画素に対する映像信号の電圧で予備書き込みされ、その後の時刻ｔ２から時刻ｔ３までの間において、信号線ＸＲｎ−２に構成された画素に対する映像信号の電圧で書き込まれる。これにより、その電圧に応じた強度の電界が画素電極Ｐと対向電極との間の液晶素子に印加され、その電界強度に応じた光が液晶から出射する。
【００５０】
なお、画素への電圧書き込み以降の作用は他の画素でも同様なので、以下では、シフトレジスタによるアナログスイッチの制御とそれにより変化する信号線の電圧を中心に説明する。
【００５１】
シフトレジスタＳ／Ｒｎ−１の出力信号ＳＲＯｎ−１は、時刻ｔ２から時間Δｔが経過した時刻ｔ３と該時刻から時間Δｔの２倍の時間が経過した時刻ｔ５との間でアナログスイッチＳＷＲｎ−１の両端子を導通させることにより映像信号供給線ＶＩＮＲａと信号線ＸＲｎ−１とを接続する。
【００５２】
シフトレジスタＳ／Ｒｎの出力信号ＳＲＯｎは、時刻ｔ３から時間Δｔが経過した時刻ｔ４と該時刻から時間Δｔの２倍の時間が経過した時刻ｔ６との間でアナログスイッチＳＷＲｎの両端子を導通させることにより映像信号供給線ＶＩＮＲｂと信号線ＸＲｎとを接続する。
【００５３】
例えば、映像信号供給線ＶＩＮＲａと接続する前に、信号線ＸＲｎ−３，ＸＲｎ−１の電圧が１．６Ｖで、映像信号の供給点ＶＩＮＲ０の電圧が３．６Ｖだった場合、映像信号供給線ＶＩＮＲａと信号線ＸＲｎ−３とが接続して、信号線ＸＲｎ−３に構成された画素への充電が開始すると、映像信号供給線ＶＩＮＲａでは当初大きな充電電流により大きな電圧降下が生じ、その後充電電流は次第に小さくなるので、信号線ＸＲｎ−３の電圧は次第に上昇していく。
【００５４】
ここで、充電が終わらない内に、映像信号供給線ＶＩＮＲｂと信号線ＸＲｎ−２とが接続した場合は、映像信号供給線ＶＩＮＲｂでは充電電流による電圧降下が生じるが、この電圧降下は映像信号供給線ＶＩＮＲａには影響しないので、信号線ＸＲｎ−３の電圧は上昇を続け、次に映像信号供給線ＶＩＮＲａに再び大きな電圧降下が生じるのは、映像信号供給線ＶＩＮＲａと信号線ＸＲｎ−１とが導通する時刻ｔ３、つまり時刻ｔ２より１信号線分の書き込み時間Δｔだけ遅い時刻ｔ３であるから、信号線ＸＲｎ−３の電圧は映像信号の供給点ＶＩＮＲ０の電圧３．６Ｖに達するまで上昇することができる。
【００５５】
なお、映像信号の供給点ＶＩＮＲ０の電圧にまで画素の電圧が上昇することは、図３に示すように、映像信号供給線ＶＩＮＲａの終端点ＶＩＮＲａＸの電圧や、映像信号供給線ＶＩＮＲｂの終端点ＶＩＮＲｂＸの電圧が、供給点ＶＩＮＲ０の電圧に達するまで上昇することによっても明らかである。
【００５６】
さて、一方で、映像信号供給線ＶＩＮＲａと導通する前に、信号線ＸＲｎ−３，ＸＲｎ−１の電圧が３．６Ｖで、映像信号の供給点ＶＩＮＲ０の電圧が１．６Ｖだった場合は、逆の作用により、画素の電圧が映像信号の供給点ＶＩＮＲ０の電圧にまで下降することとなり、いずれにしても、画素を映像信号の供給点ＶＩＮＲ０の電圧で書き込むことができるようになる。
【００５７】
なお、図３に示さない緑（Ｇ）と青（Ｂ）の画素についての動作、並びに、残りの信号線に構成された画素についての動作は、図３に示した動作と同様なので、ここではその説明を省略する。
【００５８】
また、映像信号供給線を３本以上に分岐させ、上記したように、分岐後の映像信号供給線にアナログスイッチを分散して接続し、異なる映像信号供給線に接続したアナログスイッチを連続して導通させることで、上記同様の動作がなされる。
【００５９】
上記動作により、液晶表示装置１では、映像信号の供給点の電圧と信号線の電圧（画素の電圧）との電圧差ΔＶをなくせるので、これが信号線ごとに異なることもなく、結果として、画面内で表示ムラを防止することができる。
【００６０】
なお、液晶表示装置１はカラー表示を行うものであったが、モノクロ表示を行う液晶表示装置では、信号線駆動回路には、映像信号供給線が１本配線されるので、この映像信号供給線を分岐させ、分岐後の映像信号供給線にアナログスイッチを分散して接続し、異なる映像信号供給線に接続したアナログスイッチを連続して導通させることで、当該液晶表示装置が行うモノクロ表示の表示品質を向上させることができる。
【００６１】
以上説明したように、本実施の形態に係る液晶表示装置によれば、例えば、映像信号供給線ＶＩＮＲを分岐させ、分岐後の映像信号供給線ＶＩＮＲａと映像信号供給線ＶＩＮＲｂにアナログスイッチＳＷＲｎ−３，ＳＷＲｎ−２，…を分散して接続したことで、分岐後の１つの映像信号供給線ＶＩＮＲａでの電圧降下が他の映像信号供給線ＶＩＮＲｂ等に影響するのを防止でき、さらに、アナログスイッチＳＷＲｎ−３とアナログスイッチＳＷＲｎ−２を連続して導通させたように、異なる映像信号供給線に接続したアナログスイッチを連続して導通させることで、映像信号供給線ＶＩＮＲａに接続されたアナログスイッチＳＷＲｎ−３の導通タイミングと直後に導通するアナログスイッチＳＷＲｎ−１の導通タイミングとの間の時間間隔を２倍に長くして、映像信号供給線ＶＩＮＲａでの電圧降下がなくなった後にアナログスイッチＳＷＲｎ−１を導通させることができるので、映像信号の供給点ＶＩＮＲ０の電圧を画素に書き込むことができ、その結果、表示品質を向上させることができる。
【００６２】
また、ＲＧＢの各色に対応する映像信号供給線を分岐させ、分岐後の映像信号供給線にアナログスイッチを分散して接続し、各色について、異なる映像信号供給線に接続したアナログスイッチを連続して導通させることで、映像信号の供給点の電圧を各色に対応する画素に書き込むことができ、その結果、カラー表示の表示品質を向上させることができる。
【００６３】
また、映像信号供給線を２つに分岐させ、分岐後の映像信号供給線にアナログスイッチを分散して接続し、一方の映像信号供給線に接続したアナログスイッチを導通させた後に他方の映像信号供給線に接続したアナログスイッチを導通させることで、映像信号の供給点の電圧を画素に書き込むことができ且つ映像信号供給線の分岐数を最小限にすることができる。
【図面の簡単な説明】
【００６４】
【図１】本発明の実施の形態に係る液晶表示装置１の構成図である。
【図２】信号線駆動回路１４の一部を示す回路図である。
【図３】信号線駆動回路１４の動作を説明するためのタイミングチャートである。
【図４】従来の液晶表示装置が備える信号線駆動回路の一部を示す回路図である。
【図５】図４の信号線駆動回路の動作を説明するためのタイミングチャートである。
【符号の説明】
【００６５】
１…液晶表示装置
１１…アレイ基板
１２…対向基板
１３…走査線駆動回路
１４…信号線駆動回路
ＣＬ…液晶素子
Ｐ…画素電極
Ｑ…画素トランジスタ
Ｓ／Ｒｎ−３〜Ｓ／Ｒｎ…シフトレジスタ
ＳＷＲｎ−３〜ＳＷＲｎ，ＳＷＧｎ−３〜ＳＷＧｎ，ＳＷＢｎ−３〜ＳＷＢｎ…アナログスイッチ
ＶＩＮＲ，ＶＩＮＲａ，ＶＩＮＲｂ，ＶＩＮＧ，ＶＩＮＧａ，ＶＩＮＧｂ，ＶＩＮＢ，ＶＩＮＢａ，ＶＩＮＢｂ…映像信号供給線
ＶＩＮＲ０，ＶＩＮＧ０，ＶＩＮＢ０…映像信号の供給点
ＶＩＮＢａＸ，ＶＩＮＢｂＸ，ＶＩＮＧａＸ，ＶＩＮＧｂＸ，ＶＩＮＲａＸ，ＶＩＮＲｂＸ…終端点
Ｘ，ＸＲｎ−３〜ＸＲｎ，ＸＧｎ−３〜ＸＧｎ，ＸＢｎ−３〜ＸＢｎ…信号線
Ｙ  走査線
【図１】
2006106584.tif 000003
【図２】
2006106584.tif 000004
【図３】
2006106584.tif 000005
【図４】
2006106584.tif 000006
【図５】
2006106584.tif 000007